(57)【特許請求の範囲】
【請求項１】
第１貫通孔を少なくとも有する基板、及び前記基板を覆う基板カバーを有する基板ユニットと、
前記第１貫通孔に挿入される第１突起部を少なくとも有し、前記基板ユニットを組み付けるための枠部材とを備え、
前記基板と前記基板カバーとの間には、前記基板を前記基板カバー内で摺動可能にするためのクリアランスが設けられており、
前記基板ユニットを前記枠部材に取り付ける際に、前記第１貫通孔に前記第１突起部を挿入することによって、前記基板が前記枠部材に対して位置決めされ、
前記枠部材は、前記第１突起部と異なる位置に設けられた第２突起部を有し、
前記基板は、前記第１貫通孔と異なる位置に設けられ、前記第２突起部が挿入される第２貫通孔を有し、
前記第２貫通孔の大きさは前記第２突起部よりも大きいことを特徴とする遊技機。
【請求項２】
前記基板には情報表示部が取り付けられており、
前記基板を前記枠部材に対して位置決めしたときに、前記枠部材に設けられた表示窓の位置と前記情報表示部の位置とが一致することを特徴とする請求項１記載の遊技機。
【発明の詳細な説明】
【技術分野】
【０００１】
本発明は、パチンコ店などの遊技場に設置されるスロットマシンなどの遊技機に関するものである。
【背景技術】
【０００２】
パチンコ店などの遊技場に設置される遊技機としてスロットマシンが広く知られている。スロットマシンには、メダルの払出枚数などを表示するためのメイン表示基板が設けられている。メイン表示基板には数値表示器や、発光素子が取り付けられており、それら数値表示器や発光素子は、スロットマシンのバリア（枠部材）において、所定位置に形成された表示窓から露呈するように設けられている。また、メイン表示基板は基板カバー（例えば、特許文献１に示すような「制御カバー２１０」）で覆われている。
【先行技術文献】
【特許文献】
【０００３】
【特許文献１】特開２００４−２１５８３８号公報
【発明の概要】
【発明が解決しようとする課題】
【０００４】
メイン表示基板については、スロットマシンの組立性を考慮すると、基板カバーに入れた状態で、スロットマシンに取り付けることが好ましい。この場合、基板カバーとスロットマシンのバリアとの組み付け精度が良くないと、メイン表示基板と表示窓の位置関係がズレて、数値表示器や発光素子が一部表示窓から露呈されないことが起こりうる。したがって、基板カバーとバリアとの組み付け精度が良くない場合であっても、メイン表示基板をバリアに対して正確に位置決めして取り付けることが求められていた。
【０００５】
本発明は、メイン表示基板を基板カバーに入れた状態でバリアに取り付ける構成において、メイン表示基板をバリアに対して正確に位置決めして取り付けることができる遊技機を提供することを目的としている。
【課題を解決するための手段】
【０００６】
本発明の遊技機は、第１貫通孔を少なくとも有する基板、及び前記基板を覆う基板カバーを有する基板ユニットと、前記第１貫通孔に挿入される第１突起部を少なくとも有し、前記基板ユニットを組み付けるための枠部材とを備え、前記基板と前記基板カバーとの間には、前記基板を前記基板カバー内で摺動可能にするためのクリアランスが設けられており、前記基板ユニットを前記枠部材に取り付ける際に、前記第１貫通孔に前記第１突起部を挿入することによって、前記基板が前記枠部材に対して位置決めされることを特徴とする。
【０００７】
前記枠部材は、前記第１突起部と異なる位置に設けられた第２突起部を有し、前記基板は、前記第１貫通孔と異なる位置に設けられ、前記第２突起部が挿入される第２貫通孔を有し、前記第２貫通孔の大きさは前記第２突起部よりも大きいことが好ましい。前記基板には情報表示部が取り付けられており、前記基板を前記枠部材に対して位置決めしたときに、前記枠部材に設けられた表示窓の位置と前記情報表示部の位置とが一致することが好ましい。
【発明の効果】
【０００８】
本発明によれば、メイン表示基板をバリアに対して正確に位置決めして取り付けることができる。
【図面の簡単な説明】
【０００９】
【図１】スロットマシンの斜視図である。
【図２】スロットマシンの上扉の平面図である。
【図３】メイン表示部の平面図である。
【図４】中パネル、バリア、及び基板ユニットを示す分解斜視図である。
【図５】基板ユニットの分解斜視図である。
【図６】基板ユニットをバリアに取り付ける前の状態を示す断面図である。
【図７】基板ユニットの平面図である。
【図８】基板ユニットをバリアに取り付ける途中の状態を示す断面図である。
【図９】第２貫通孔と第２突起部を示す平面図である。
【発明を実施するための形態】
【００１０】
図１に示すように、スロットマシン（遊技機）１０は、収納箱１１と、前面扉１２とを備えている。収納箱１１には、複数（本実施形態では３つ）のリールR1，R２，R３（図２参照）がユニット化されたリールユニットや、メダルの払い出しを行うホッパ装置などが収納されている。前面扉１２は、上扉１２ａと下扉１２ｂとに分割されており、これら上扉１２ａ及び下扉１２ｂはそれぞれ収納箱１１に軸着され、開閉自在に支持されている。
【００１１】
上扉１２ａには、各種画像を表示する液晶ディスプレイ１３、各種音声を出力するスピーカ１４、及び、リールR１〜R３を視認させるためのリール表示窓１６が設けられている。リールR１〜R３の外周面には複数種類の図柄が配列されており、リールが停止した状態では、リール表示窓１６を通して１つのリールにつき３個の図柄が表示される。
【００１２】
下扉１２ｂには、メダルを投入するメダル投入口２２、クレジットされたメダルをベットする際に操作されるベットボタン２３、遊技を開始する際に操作されるスタートレバー２４、回転しているリールR1〜R３を停止させるためのストップボタン２６ａ〜２６ｃ、メダルを払い出す払い出し口２７、払い出し口２７から払い出されたメダルを受けるメダル受け皿２８、クレジットされたメダルを清算するための清算ボタン２９が設けられている。
【００１３】
スロットマシン１０では、メダル投入口２２にメダルを投入、または、ベットボタン２３操作することによりメダルをベットしてスタートレバー２４を操作すると遊技が開始される。遊技が開始されると、当選役抽選が実行されて複数種類の当選役のいずれかまたはハズレが決定されるとともにリールR１〜R３が回転を開始する。リールR1〜R３の回転速度が一定速度に到達して定常回転となるとストップボタン２６ａ〜２６ｃの操作が有効化され、有効化されたストップボタン２６ａ〜２６ｃを操作することによって、操作されたストップボタンに対応するリールR１〜R３を停止させることができる。そして、全てのリールR１〜R３が停止したときに、当選役抽選で決定された当選役に対応する図柄組合せが表示されると、この当選役が入賞となり、入賞した当選役に対応する処理（入賞処理）が実行される。
【００１４】
また、図２に示すように、スロットマシン１０の上扉１２ａには、中央下方の位置に、３つのリールR１〜R３を視認するためのリール表示窓１６が設けられている。このリール表示窓１６に対して、上方に電飾部３０が設けられており、右側にメイン表示部３２が設けられている。電飾部３０は、３つのランプ３０ａ、３０ｂ、３０ｃがユニット化されたものである。３つのランプ３０ａ、３０ｂ、３０ｃは３つのリールR１〜R３に対応して設けられ、各リールの上方に、各リールに対応するランプが配置されている。この電飾部３０は、リールR１〜R３を停止させるべき順番を報知するために用いられる。
【００１５】
図３に示すように、メイン表示部３２は遊技に関する情報を表示する情報表示部であり、第１メイン表示器３４と、メダル投入枚数表示器３６と、第２メイン表示器３８と、スタート表示器４０と、投入可能表示器４２と、リプレイ表示器４４とを備えている。第１メイン表示器３４は２ケタの数字又は所定の文字を表示可能であり、メダルの払出枚数、エラーの種類、設定の切替及び確認時等を表示する。メダル投入枚数表示器３６は３つの発光素子で構成され、点灯する発光素子の数で、メダル投入口２２から投入された規定枚数以内のメダルの枚数を表示する。
【００１６】
第２メイン表示器３８は２ケタの数字を表示可能であり、クレジットされたメダルの枚数を表示する。スタート表示器４０は１つの発光素子で構成され、スタートレバー２４の操作が可能な場合に点灯し、操作が不可能な場合に消灯する。投入可能表示器４２は１つの発光素子で構成され、メダル投入が可能な場合に点灯し、メダル投入が不可能な場合に消灯する。リプレイ表示器４４は１つの発光素子で構成され、リプレイ中の場合に点灯し、リプレイ以外の場合には消灯する。
【００１７】
図４に示すように、上扉１２ａには、リール表示窓１６、電飾部３０、メイン表示部３２などが設けられた上扉本体（図示しない）の裏側に、メイン表示部３２を有する基板ユニット６３などの各種機器を組み付けるためのバリア（枠部材）５２が設けられている。また、バリア５２には、リールR１〜R３を露呈させるためのリール窓５４と、メイン表示部３２を露呈させるための設けられたメイン表示窓（表示窓）５６が形成されている。バリア５２の表側には、上扉本体との間に中パネル５８が取り付けられおり、この中パネル５８を通して、リールR１〜R３と、メイン表示部３２とを視認することができる。
【００１８】
図５に示すように、基板ユニット６３は、メイン表示部３２と、メイン表示部３２が取り付けられたメイン表示基板（基板）６０と、メイン表示基板６０を収納する基板カバー６２と、メイン表示基板６０に電力を供給するコネクタ６４とを備えている。メイン表示基板６０には、バリア５２の第１突起部７０に挿入される第１貫通孔６０ａと、この第１貫通孔６０ａと異なる位置に設けられ、バリアの第２突起部７２に挿入される第２貫通孔６０ｂとが形成されている。基板カバー６２には、バリア５２にネジ等で取り付けるためのカバー取付孔６５と、メイン表示基板６０のコネクタ６４が挿入されるコネクタ用貫通孔６８とが設けられている。
【００１９】
フック６６は手で外側に押し広げることが可能である。メイン表示基板６０を基板カバー６２に収納する際には、フック６６を外側に押し広げた状態で、メイン表示基板６０のコネクタ６４をコネクタ用貫通孔６８に挿入させつつ、メイン表示基板６０全体を基板カバー６２内に入れる。メイン表示基板６０全体が基板カバー６２内に入ったら、フック６６の押し広げをやめて、元の位置に戻す。基板カバー６２内に入ったメイン表示基板６０は、フック６６の先端部に設けられたフック側突起部６６ａと基板カバー６２においてフック側突起部６６ａに対向する位置に設けられたカバー側突起部６２ａとによって、基板カバー６２内に固定される。これにより、メイン表示基板６０は基板カバー６２から外に出ることは阻止される。
【００２０】
図６に示すように、メイン表示基板６０と基板カバー６２との間には、メイン表示基板６０をバリア５２に対して取り付ける方向Xに対して略直交する方向Yに、クリアランスCL１が設けられている。このクリアランスCL１を設けることで、メイン表示基板６０は基板カバー６２内でY方向に摺動可能となっている。このようにメイン表示基板６０を摺動可能としているのは、基板カバー６２をバリア５２に組み付けたときに組み付け誤差が発生した場合に、この組み付け誤差に伴うメイン表示基板６０のズレを無くすためである。したがって、基板カバー６２をバリア５２に正確に組み付けることができない場合であっても、メイン表示基板６０についてはバリア５２に対して正確に位置決めして取り付けることができる。なお、方向Xに対しても、メイン表示基板６０と基板カバー６２との間には、若干のクリアランスがあり、メイン表示基板６０はX方向にも摺動可能となっている。
【００２１】
図７に示すように、基板ユニット６３をバリア５２に取り付ける際には、基板カバー６２のカバー取付孔６５にネジを差し込んで、ネジで基板ユニット６３をバリア５２に取り付ける。この取り付け時には、メイン表示基板６０は、基板カバー６２内の押さえ部６９によって、バリア５２に押さえ付けられる。
【００２２】
ここで、バリア５２を製造する際に生じた形成上の誤差によって、基板カバー６２をバリア５２の取付位置Pに取り付けることができず、所定量CL２だけズレて取付けられた場合、図８に示すように、押さえ部６９による押し付け前の時点では、メイン表示基板６０の第１貫通孔６０ａの中心軸L１とバリア５２の第１突起部７０の中心軸L２とは一致しない。このような場合においては、メイン表示基板６０の第１貫通孔６０ａは、押さえ部６９による押さえ付けとともに、先細りの円柱形状を有する第１突起部７０に誘い込まれる。そして、この第１突起部７０による誘い込みによって、第１貫通孔６０ａの中心軸L１と第１突起部７０の中心軸L２とが一致するようになる。
【００２３】
また、メイン表示基板６０の第２貫通孔６０ｂの大きさS１は、第２突起部７２の大きさS2よりも大きいため、第１突起部７０の誘い込みにより、メイン表示基板６０がY方向に動いたとしても、第２突起部７２は確実に第２貫通孔６０ｂに入り込む。以上から、メイン表示基板６０がバリア５２に対して確実に位置決めされることから、メイン表示部３２の位置とメイン表示窓５６との位置が一致する。これにより、メイン表示部３２は、一部隠れること無く、全てがメイン表示窓５６から確実に露呈される。
【００２４】
なお、メイン表示基板６０を第１突起部７０でバリア５２側に誘い込むためには、メイン表示基板６０をバリア５２に取り付けようとするときに、第１突起部７０のうち少なくとも先端部７０ａが、第１貫通孔６０ａの中に入っている必要がある。これを実現するために、下記式に示すように、第１貫通孔６０ａを誘い込むための第１突起部７０の誘い量D（第１突起部７０の中心軸から周縁までの距離）を、メイン表示基板６０と基板カバー６２との間のクリアランスCL１と、バリア５２と基板カバー６２とズレ量CL２とを合わせた値よりも大きくなるように設定している（図６参照）。
式）誘い量D＞CL１＋CL２
【００２５】
例えば、図６において、誘い量Dが１．０ｍｍに設定された場合、仮に、基板ユニット６３の取り付け時に、メイン表示基板６０が左側方向に０．５ｍｍ（CL１）ずれるとともに、基板カバー６２についても左側方向に０．５ｍｍ（CL２）ずれたとしても、第１突起部７０の先端部７０ａは第１貫通孔６０ａの中に入るため、第１突起部７０で第１貫通孔６０ａを確実に誘い込むことができる。
【００２６】
なお、第２貫通孔６０ｂの形状は、第２貫通孔６０ｂの大きさが第２突起部７２の大きさよりも大きくなるような形状であればよい。例えば、第２突起部７２の断面形状が円柱形状である場合には、図９に示すように、第２貫通孔６０ｂの形状については、第２突起部７２の断面積よりも大きい面積を有する略楕円形状とすることが好ましい。このように第２貫通孔６０ｂを形成することで、仮に、第１又は第２突起部７０、７２と第１又は第２貫通孔６０ａ，６０ｂを製造したときに形成上の誤差が生じたとしても、メイン表示基板６０のバリア５２への組み付けが不能になることを防止することができる。なお、略楕円形状の第２貫通孔６０ｂは、第１突起部７０を中心にメイン表示基板６０が回転することが無いように、第１貫通孔６０ａが第１突起部７０に誘い込まれる方向Yにのみ摺動可能である。
【符号の説明】
【００２７】
１０  スロットマシン（遊技機）
３２  メイン表示部（情報表示部）
５２  バリア
５６  メイン表示窓（表示窓）
６０  メイン表示基板（基板）
６０ａ  第１貫通孔
６０ｂ  第２貫通孔
６２  基板カバー
６３  基板ユニット
７０  第１突起部
７２  第２突起部
【図１】
0006446650.tif 000002
【図２】
0006446650.tif 000003
【図３】
0006446650.tif 000004
【図４】
0006446650.tif 000005
【図５】
0006446650.tif 000006
【図６】
0006446650.tif 000007
【図７】
0006446650.tif 000008
【図８】
0006446650.tif 000009
【図９】
0006446650.tif 000010